(57)【要約】【課題】  外観上の美観を重視する場所にも設置可能なカードリーダシステムを提供する。【解決手段】  本体２と、この本体２に組み込んだ発光用サインパネル３と、この発光用サインパネル３を透過する光を出力する発光部６と、カードＣに記憶した情報を検知する読取部７と、予め情報を記憶する記憶部９と、上記読取部７が検知したカード情報と記憶部９が予め記憶した情報とを照合する照合部１０と、照合部１０の照合結果に応じて電気錠などのアクチュエータを制御する制御部１２と、照合部１０の照合結果に応じて上記発光部６を制御する発光制御部１３とを備え、上記発光制御部１３は、上記発光部６に照明用の光を発光させる制御機能と、発光部６に照合結果通知用の光を発光させる制御機能とを有する。【選択図】  図１
2007328579.tif 000002
【特許請求の範囲】
【請求項１】
本体と、この本体に組み込んだ発光用サインパネルと、この発光用サインパネルを透過する光を出力する発光部と、カードに記憶した情報を検知する読取部と、予め情報を記憶する記憶部と、上記読取部が検知したカード情報と記憶部が予め記憶した情報とを照合する照合部と、照合部の照合結果に応じて電気錠などのアクチュエータを制御する制御部と、照合部の照合結果に応じて上記発光部を制御する発光制御部とを備え、上記発光制御部は、上記発光部に照明用の光を発光させる制御機能と、発光部に照合結果通知用の光を発光させる制御機能とを有するカードリーダシステム。
【請求項２】
上記発光部は複数の発光ダイオードで構成する一方、上記発光用サインパネルは上記複数の発光ダイオードに対応する複数の分割パネルを重ねてなり、上記照明用の光は、最背面に位置する分割パネルに対応する発光ダイオードによって発光される一方、上記照合結果通知用の光は、上記最背面に位置する分割パネル以外の分割パネルに対応する発光ダイオードによって発光される構成にした上記請求項１記載のカードリーダシステム。
【発明の詳細な説明】
【技術分野】
【０００１】
この発明は、建物の出入口に設けるカードリーダシステムに関する。
【背景技術】
【０００２】
オフィスビルに入館する従業員や、ホテルの各室に入室する宿泊客に識別情報を記憶したカードを所持させるとともに、このカードを当該施設の出入口に設けたカードリーダ本体に近づけて、入場資格の有無を判別するカードリーダシステムが広く一般に普及している。
このようなカードリーダシステムにおいては、ＣＰＵ基板およびアンテナを有するカードリーダ本体を施設の出入口に設置する。そして、個人情報等のデータが記憶された非接触型のＩＣカードを上記カードリーダ本体に近づけると、カードリーダ本体がＩＣカードに記憶した情報を無線で検知するとともに、検知した情報をＣＰＵが判別して出入口の施解錠をする。
【特許文献１】特開２００６−１１３７２７号公報
【発明の開示】
【発明が解決しようとする課題】
【０００３】
上記のようなカードリーダシステムは、近年、導入価格の低下に伴い一層普及する傾向にある。そして、近年、カードリーダシステムを導入しようとする場所の中には、例えば高級ホテルのように外観上の美観を重視する場所も多い。ところが、高級ホテルのように外観上の美観を重視する場所においては、カードリーダ本体を設置することによって、外観上の美観を損なうおそれがあり、そのため、場所によってはカードリーダシステムを導入することができなくなってしまうという問題があった。
【０００４】
この発明の目的は、外観上の美観を重視する場所にも設置可能なカードリーダシステムを提供することである。
【課題を解決するための手段】
【０００５】
第１の発明は、本体と、この本体に組み込んだ発光用サインパネルと、この発光用サインパネルを透過する光を出力する発光部と、カードに記憶した情報を検知する読取部と、予め情報を記憶する記憶部と、上記読取部が検知したカード情報と記憶部が予め記憶した情報とを照合する照合部と、照合部の照合結果に応じて電気錠などのアクチュエータを制御する制御部と、照合部の照合結果に応じて上記発光部を制御する発光制御部とを備え、上記発光制御部は、上記発光部に照明用の光を発光させる制御機能と、発光部に照合結果通知用の光を発光させる制御機能とを有することを特徴とする。
【０００６】
第２の発明は、発光部を複数の発光ダイオードで構成する一方、上記発光用サインパネルは上記複数の発光ダイオードに対応する複数の分割パネルを重ねてなり、上記照明用の光は、最背面に位置する分割パネルに対応する発光ダイオードによって発光される一方、上記照合結果通知用の光は、上記最背面に位置する分割パネル以外の分割パネルに対応する発光ダイオードによって発光される構成にしたことを特徴とする。
【発明の効果】
【０００７】
第１，２の発明によれば、本体に発光用サインパネルを設けるとともに、この発光用サインパネルが照明用の光を透過して照明機能を発揮するので、壁等に当該本体が設置されていても、第三者にはサイン付き照明機器が設置されているように見える。したがって、カードリーダシステムの存在が第三者から認知されにくく、外観上の美観を損なうおそれが少ない。
【０００８】
このように、このカードリーダシステムによれば、外観上の美観を損なうおそれが少ないので、高級ホテル等外観上の美観を重視する場所にも設置することができる。
また、本体と発光用サインパネルとが一体に形成されているので、読取部のすぐ近くで光が発光する。したがって、ユーザーは、暗い場所であっても読取部の場所をすぐに認識することができる。
しかも、上記のように本体が照明機能をも果たすので、照明器具を別に設ける必要がなく、その分、配線を簡略するとともに、設置スペースを小さくすることができる。
【発明を実施するための最良の形態】
【０００９】
図１〜３を用いてこの発明の実施形態について説明する。
図１〜３に示すこの実施形態のカードリーダシステムは、利用者を特定する個人情報等の情報が記憶されたカードＣを本体２に近づけたとき、扉等に設けた電気錠等のアクチュエータを駆動する機能と、発光用サインパネル３に光を透過する照明機能とを備えている。
このカードリーダ１に設ける発光用サインパネル３は、透明のアクリル板からなる分割パネル３ａ，３ｂ，３ｃを重ねてなるが、最前面に位置する分割パネル３ａの表面上側よりには、「ＯＫ」という文字からなる装飾４ａが、レーザーマーキングによって薄く表面処理されている。また、真ん中に位置する分割パネル３ｂの表面中央付近には、上記装飾４ａと重ならないように、「ＮＧ」という文字からなる装飾４ｂを、レーザーマーキングによって薄く表面処理している。そして、最背面に位置する分割パネル３ｃの表面には、レーザーマーキングによって、上記装飾と同様の処理が全体に施されている。
【００１０】
なお、上記のようにレーザーマーキングによる処理を施すと、発光用サインパネル３を透過した光が当該処理を施した部分で乱反射するので、当該処理を施していない部分と異なった光を視認できる。したがって、発光用サインパネル３にレーザーマーキングによって装飾を施せば、発光用サインパネル３に光を透過させたとき、装飾部分が浮き出すように表れる。また、レーザーマーキングは、発光用サインパネル３の表面や内部に処理することができ、表面に処理を施す場合には、その処理を浅くしたり深くしたりすることで、光の強さや印象を変えることができる。したがって、レーザーマーキングの処理を変えることによって、カードリーダ１が与える印象を設置場所に応じたものにすることができる。
【００１１】
また、上記本体２には、その上面を開口してボード挿入孔２ａを形成するとともに、このボード挿入孔２ａに発光用サインパネル３が組み込まれている。そして、図２からも明らかなように、ボード挿入孔２ａの下方には、ボード挿入孔２ａに連続する発光室５を設けている。
この発光室５は、図３に示すように、上記分割パネル３ａ，３ｂ，３ｃに対向するように、それぞれ発光室５ａ，５ｂ，５ｃに区切られるとともに、これら各発光室５ａ，５ｂ，５ｃ内に、発光部６を構成する発光ダイオード（以下「ＬＥＤ」という）６ａ，６ｂ，６ｃを収納している。
【００１２】
このように区切られた発光室５ａ，５ｂ，５ｃに対向するように、分割パネル３ａ，３ｂ，３ｃをボード挿入孔２ａに挿入すると、各ＬＥＤ６ａ，６ｂ，６ｃから発光した光は、それぞれ対応する分割パネル３ａ，３ｂ，３ｃのみを透過することになる。
【００１３】
また、上記ＬＥＤ６ａ，６ｂ，６ｃは異なる色の光を発光するが、これら各ＬＥＤ６ａ，６ｂ，６ｃは、後述する発光制御部１３によって別々に制御されており、各ＬＥＤ６ａ，６ｂ，６ｃを同時に発光することもできるし、それぞれを別々に発光することもできる。
さらに、本体２には読取部７を内蔵しているが、この読取部７にはアンテナが設けられ、この読取部７にカードＣを近づけることによって、カードＣに記憶された情報を検知する。
【００１４】
そして、上記読取部７が検知したカードＣの情報は、本体２の外部に設けた管理装置８に送信される。この管理装置８には、カードＣが記憶する情報と同じ情報を予め記憶させた記憶部９と、上記読取部７から送信されたカードＣの情報と、記憶部９が予め記憶した情報とが一致するかを照合する照合部１０とを備えている。また、管理装置８には、外部出力装置１１を接続するとともに、この外部出力装置１１を制御する制御部１２を設けている。なお、外部出力装置１１とは、カードリーダ１と電気的に接続した装置のことであり、この実施形態においては扉等に設けた電気錠を構成するアクチュエータのことである。
【００１５】
そして、上記照合部１０の照合結果に基づいて、制御部１２が外部出力装置１１を制御するとともに、上記照合結果が、本体２内に設けた発光制御部１３に送信される。当該照合結果を受信した発光制御部１３は、照合結果に基づいて発光部６を制御するが、その詳細については作用の説明において説明することとする。
また、発光制御部１３には外部入力装置１４を電気的に接続している。この外部入力装置１４は、外部から操作をして、発光制御部１３に対して操作信号を送信する装置のことであり、この実施形態においては照明用スイッチのことである。なお、この外部入力装置１４は、本体２内に設けてもよいし、また本体２外部に設けてもよい。
【００１６】
次に、この実施形態におけるカードリーダシステムの作用について説明する。
カードリーダ１の照明機能を使用する場合には、外部入力装置１４である照明用スイッチをオンにする。すると、外部入力装置１４である照明用スイッチから発光制御部１３に信号が送信されるとともに、発光制御部１３がＬＥＤ６ｃのみを発光するように発光部６を制御する。
このようにしてＬＥＤ６ｃが発光すると、このＬＥＤ６ｃから発光する光が、表面処理を施した分割パネル３ｃを透過して照明機能を発揮する。
【００１７】
一方、外部出力装置１１として設ける電気錠を構成するアクチュエータを施解錠する場合には、情報を記憶したカードＣを読取部７に近づける。すると読取部７が、カードＣに記憶された情報を検知するとともに、当該情報を管理装置８に送信する。管理装置８では、照合部１０によって、読取部７から送信された情報と、記憶部９に予め記憶している情報とが一致するか否かを照合する。
【００１８】
そして、照合の結果、情報が一致すると判断した場合には、制御部１２が、電気錠を構成するアクチュエータ（外部出力装置１１）を解錠するように制御するとともに、管理装置８から発光制御部１３に解錠信号が送信される。解錠信号を受信した発光制御部１３は、ＬＥＤ６ａのみを点滅させるように発光部６を制御する。このようにしてＬＥＤ６ａが点滅して発光する光は、分割パネル３ａのみを透過するとともに、この透過光によって分割パネル３ａ表面に施したＯＫからなる装飾４ａが浮き出すように点滅する。
したがって、情報が一致する場合には、電気錠が解錠されるとともに、分割パネル３ａに施されたＯＫからなる装飾４ａが点滅して、電気錠が解錠されたことが光によって通知される。
【００１９】
また、照合部１０が、予め記憶した情報と、読取部７から送信された情報とが一致しないと照合した場合には、管理装置８から発光制御部１３に不一致信号が送信される。すると、発光制御部１３が、発光部６を制御してＬＥＤ６ｂのみを点滅させる。したがって、ＬＥＤ６ｂが点滅して発光する光が、分割パネル３ｂのみを透過するとともに、この透過光によって分割パネル３ｂ表面に施したＮＧからなる装飾４ｂが浮き出すように点滅する。ただし、このとき制御部１２は、電気錠を構成するアクチュエータを制御しないため、電気錠は施錠された状態を維持することになる。
このように、情報が一致しない場合には、電気錠が解錠されないまま、分割パネル３ｂに施されたＮＧからなる装飾４ｂが点滅して、電気錠の解錠がなされなかったことが光によって通知される。
【００２０】
上記のように、このカードリーダシステムにおいては、ＬＥＤ６ａ，６ｂが照合結果を通知するための照合結果通知用の光を発光するとともに、ＬＥＤ６ｃが照明用の光を発光するようにしている。
なお、ＬＥＤ６ｃが照明用の光を発光している場合において、カードＣを読取部７に近づけたときには、発光制御部１３が、一時的にＬＥＤ６ｃを消灯してから、ＬＥＤ６ａ，６ｂのいずれか一方を点滅させることも可能である。
【００２１】
上記実施形態におけるカードリーダシステムによれば、カードリーダ１に発光用サインパネル３を設けるとともに、この発光用サインパネル３が照明用の光を発光する照明機能を果たすので、壁等に当該カードリーダ１が設置されていても、第三者には照明器具が設置されているように見える。したがって、カードリーダシステムの存在が第三者から認知されにくくなり、例えば、当該設置場所に適合するような装飾を発光用サインパネル３に施せば、外観上の美観を重視するような場所に設けても、当該施設の美観を損なうことがない。
【００２２】
また、本体２と発光用サインパネル３とが一体に形成されているので、読取部７のすぐ近くで光が発光する。したがって、ユーザーは、暗い場所であっても読取部７の場所をすぐに認識することができる。
しかも、上記のように本体２が照明機能をも果たすので、照明器具を別に設ける必要がなく、その分、配線を簡略するとともに、設置スペースを小さくすることができる。
【００２３】
なお、上記実施形態においては、ＬＥＤ６ａ，６ｂ，６ｃをそれぞれ別個に設け、各ＬＥＤが異なる色を発光するようにしたが、各ＬＥＤはすべて同じ色を発光するようにしても構わない。
また、発光部は、異なる色を発光するＬＥＤを１つだけ設けるようにしてもよい。この場合には、発光用サインパネル３を分割パネル３ａ，３ｂ，３ｃに分割して設ける必要がなく、１つの発光用サインパネルを設ければよい。ただし、異なる色を発光するＬＥＤを１つだけ設けた場合には、上記実施形態のように、照合結果に応じて異なる装飾を浮き立たせることができない。なぜなら、ＬＥＤを発光すれば、発光用サインパネル全体を当該光が透過してしまい、部分的に光を透過することができないからである。したがって、この場合の照合結果の通知は、色を変えて行ったり、点滅時間を変えて行ったりすることとなる。
【００２４】
また、この実施形態においては、外部入力装置として照明用スイッチを設けたが、外部入力装置は人感センサーやタイマーのように、発光部を発光するための信号を発光制御部に対して発信するものであれば構わない。
また、上記実施形態においては、レーザーマーキングによって各分割パネルの表面に装飾を施したが、分割パネルの裏面に装飾を施してもよい。例えば、最前面に位置する分割パネル３ａの裏面に装飾４ａを施し、真ん中に位置する分割パネル３ｂの表面に装飾４ｂを施せば、両装飾４ａ，４ｂが、その厚さ方向において近づいて位置する。このように、装飾が厚さ方向に近づいて位置すれば、立体感が少なくなり、装飾を見た際の違和感を少なくすることができる。
また、分割パネルを多数重ねれば、分割パネルの枚数分だけ異なる装飾を施すことができるので、装飾の幅を広げることができる。
【００２５】
なお、上記実施形態における装飾４ａ，４ｂの色と、最背面に位置する分割パネル３ｃに透過させるＬＥＤ６ｃの発光色とを同系色にすれば、照明機能を発揮している場合に、上記装飾４ａ，４ｂをほとんど見えなくすることができる。
また、上記実施形態においては、カードリーダとは別に管理装置を設け、この管理装置に記憶部、照合部、制御部を備えるようにしたが、上記記憶部、照合部、制御部はカードリーダに設けるようにしても構わない。
また、サインパネルの材質はアクリルに限られず、ガラスやクリスタル等光を透過するとともに、彫刻を施すことができるものであれば、特に材質は限定されるものではない。
【図面の簡単な説明】
【００２６】
【図１】この実施形態におけるカードリーダの斜視図である。
【図２】この実施形態におけるカードリーダの内部構造を示す正面図である。
【図３】この実施形態におけるカードリーダの内部構造を示す側面図である。
【符号の説明】
【００２７】
１    カードリーダ
２    本体
３    発光用サインパネル
３ａ〜３ｃ  分割パネル
６    発光部
７    読取部
９    記憶部
１０  照合部
１２  制御部
１３  発光制御部
Ｃ    カード
【図１】
2007328579.tif 000003
【図２】
2007328579.tif 000004
【図３】
2007328579.tif 000005